(57)【特許請求の範囲】
【請求項１】
回動可能に設けられる定着部材と、
前記定着部材に当接しシート上にトナーを定着させる定着ニップ部を形成する加圧部材と、
他の駆動系から独立した駆動モータから直接または間接的に供給される駆動力により任意の回転数で回転し前記定着部材または加圧部材にオイルを塗布する塗布ローラと該塗布ローラにオイルを供給するオイル供給部とを有するオイル塗布装置と、を備え、
前記オイル供給部は、オイル投入口から投入されるオイルを溜めておくくぼみであって長手方向が前記塗布ローラの幅方向に対して平行に配置されるオイル溜り部と、前記オイル溜り部に隣接して配置され、該オイル溜り部から前記塗布ローラ側にオイルを供給する供給フェルトと、前記オイル溜り部の幅方向において前記オイル投入口以外の領域に前記オイル溜り部のくぼみ内部から前記供給フェルトにつながるくみ出しフェルトと、を有し、前記オイル溜り部にオイルが投入されることにより前記オイル溜り部上部から溢れ出たオイルが前記塗布ローラに供給される定着装置であって、
前記シートの種類に応じて前記塗布ローラの回転数を変化させ、前記定着部材または加圧部材へのオイル塗布量を調整する定着装置。
【請求項２】
前記シートがコート紙であるとき、普通紙であるときよりも前記塗布ローラの回転数を増加させる請求項１に記載の定着装置。
【請求項３】
請求項１または２に記載の定着装置を備える画像形成装置。
【発明の詳細な説明】
【技術分野】
【０００１】
本発明は、定着装置及び該定着装置を備える画像形成装置に関し、詳しくは搬送するシート上のトナーを加熱して定着する定着装置及び電子写真方式を用いて形成するトナー画像をシート上に転写した後に定着して画像を形成する複写機、プリンタ、ファクシミリ装置あるいはこれらの複合機等の前記定着装置を備える画像形成装置に関するものである。
【背景技術】
【０００２】
複写機、プリンタ等による電子写真方式の画像形成装置における定着装置では、定着部材等に対してオイルを用いてトナーとの離型性をよくしつつ定着性能を維持している。特に、フルカラー電子写真装置では定着装置にオイルが多く用いられている。
【０００３】
また、昨今ではウォームアップ時間の短縮から定着装置の定着部材に無端状の定着ベルトを用いたものが多く採用されている。例えば、図１に示すように、定着ローラ８４及び加熱ローラ８３に一定のテンションで架け渡された定着ベルト９２と、該定着ベルト９２に対して回転自在に圧接し定着ニップ部Ａを形成する加圧ローラ８５と、を備える構成の定着装置がある（例えば、特許文献１参照。）。
【０００４】
ここでは、定着ベルト９２に対してオイルを塗布するオイル塗布装置としてオイル塗布ローラＲ１が設けられており、不図示のオイル供給部から供給を受けたオイルは回転するオイル塗布ローラＲ１により定着ベルト９２の当接点９５で塗布されるようになっている。そして、定着ベルト９２のオイルが塗布された部分は定着ベルト９２の回動により定着ニップ部Ａへ移動し、トナー画像が転写された記録媒体（転写紙）との離型性に寄与する。ついで、定着ニップ部Ａでは定着ベルト９２のオイルの一部が加圧ローラ８５表面に移っており、加圧ローラ８５の離型性も改善されている。また、加圧ローラ８５における余剰のオイルは加圧ローラ８５の下側にあるオイルパン９６に流れ込み回収されるようになっている。
【０００５】
【特許文献１】特開２００３−３０２８５７号公報
【発明の開示】
【発明が解決しようとする課題】
【０００６】
しかしながら、従来の定着装置ではオイル塗布装置からのオイル塗布量が不足することがあり、定着部材などにおける定着処理済みの記録媒体の離型性が悪化することがあった。これはとくに、記録媒体の種類によって問題となった。
【０００７】
本発明は、以上の従来技術における問題に鑑みてなされたものであり、記録媒体の種類に応じて定着部材等に対して十分な量のオイルが安定的に塗布される定着装置及び該定着装置を用いた画像形成装置を提供することを目的とする。
【課題を解決するための手段】
【０００８】
前記課題を解決するために提供する本発明は、以下の通りである。
〔１〕  回動可能に設けられる定着部材と、前記定着部材に当接しシート上にトナーを定着させる定着ニップ部を形成する加圧部材と、他の駆動系から独立した駆動モータから直接または間接的に供給される駆動力により任意の回転数で回転し前記定着部材または加圧部材にオイルを塗布する塗布ローラと該塗布ローラにオイルを供給するオイル供給部とを有するオイル塗布装置と、を備え、前記オイル供給部は、オイル投入口から投入されるオイルを溜めておくくぼみであって長手方向が前記塗布ローラの幅方向に対して平行に配置されるオイル溜り部と、前記オイル溜り部に隣接して配置され、該オイル溜り部から前記塗布ローラ側にオイルを供給する供給フェルトと、前記オイル溜り部の幅方向において前記オイル投入口以外の領域に前記オイル溜り部のくぼみ内部から前記供給フェルトにつながるくみ出しフェルトと、を有し、前記オイル溜り部にオイルが投入されることにより前記オイル溜り部上部から溢れ出たオイルが前記塗布ローラに供給される定着装置であって、前記シートの種類に応じて前記塗布ローラの回転数を変化させ、前記定着部材または加圧部材へのオイル塗布量を調整する定着装置。
〔２〕  前記シートがコート紙であるとき、普通紙であるときよりも前記塗布ローラの回転数を増加させる前記〔１〕に記載の定着装置。
〔３〕  前記〔１〕または〔２〕に記載の定着装置を備える画像形成装置。
【発明の効果】
【０００９】
本発明によれば、塗布ローラを単独の駆動モータで駆動を行うことにより、任意の回転数で回転させることが可能であり、シートの種類に応じて定着部材等へ任意の付着量でオイルを塗布することができるので、良好な離型性を維持することができる。とくに、シートがコート紙のときには普通紙よりもオイル付着量を増加させることにより、離型性だけでなく良好な画像品質も確保することができる。
【発明を実施するための最良の形態】
【００１０】
以下に、本発明に係る定着装置及び画像形成装置について説明する。
図２に示すように、本発明に係る定着装置１００は、定着カバー１００ｃの内部に、定着ローラ１１及び加熱ローラ１４に一定のテンションで架け渡された定着部材（定着ベルト１２）と、該定着部材（定着ベルト１２）に対して回転自在に圧接し定着ニップ部Ｎを形成する加圧部材（加圧ローラ１３）と、前記定着ニップ部Ｎのシート排出側であって先端が定着部材（定着ベルト１２）に近接して配置され該定着部材（定着ベルト１２）へのシートＰの巻き付きを防止する分離爪１６ａと、前記定着ニップ部Ｎのシート排出側であって先端が加圧部材（加圧ローラ１３）に当接して配置され該加圧部材（加圧ローラ１３）へのシートＰの巻き付きを防止する分離爪１６ｂと、クリーニングウェブを押し付けて定着ベルト１２のクリーニングを行うクリーニング機構１７と、を備える。
【００１１】
ここで、定着ベルト１２は、無端ベルトであり、断面構造としては、例えばニッケル、ステンレス、ポリイミドなどの基材にシリコンゴム層などの弾性層を形成した２層構造となっている。また、定着ローラ１１は、金属の芯金にシリコンゴムを有したものである。ウォームアップ時間短縮のため、定着ベルト１２の熱を吸収しにくいように、発泡のシリコンゴムを用いることもある。また、加熱ローラ１４は、アルミ又は鉄の中空ローラで内部にハロゲンヒータなどのヒータ１４ｈからなる熱源を有している。熱源は誘導加熱機構（ＩＨ）でもよい。また、加熱ローラ１４の中空ローラの肉厚部分には複数の中空のパイプがその長手方向が加熱ローラ１４の幅方向とされ、加熱ローラ１４の円周方向に均等に埋め込まれたヒートパイプ１４ａを有する。ヒートパイプ１４ａにより、ヒータ１４ｈからローラ表面への熱伝達が改善され、定着ベルト１２が速く均一に加熱されるようになる。
【００１２】
定着装置１００の駆動の際には、例えば定着ローラ１１の図中時計回り方向の回転駆動により定着ベルト１２がテンションローラ１５の押圧により適切なテンションが付与された状態でシートＰを排出する方向（図２では時計回り方向）に回動し、加圧ローラ１３がつれ回りする。駆動されるローラは定着ローラ１１に限らず加圧ローラ１３や加熱ローラ１４であってもよい。また、定着の際には、定着ベルト１２は、加熱ローラ１４内部に配置されたヒータ１４ｈの発熱によりサーミスタ（不図示）で検出される温度が所定の温度（例えばトナー定着に適する温度）まで加熱される。なお、本発明では、定着部材として、図２に示す定着ベルト１２（無端ベルト）の形態を示したが、これに限定されるものではなく、中空円筒形状のローラ（定着ローラ）としてもよい。
【００１３】
加圧ローラ１３は、通常はアルミ又は鉄等の芯金の上にシリコンゴム等の弾性層が設けられた円筒形状のローラである。また、加圧ローラ１３の定着ベルト１２への押し当ては、図示していない加圧手段により一定の圧力で定着ベルト１２の方向へ押されることにより行われる。また、定着の際など必要なときに、加圧ローラ１３は、内部に配置されたヒータ１３ｈの発熱により所定の温度まで加熱される。
【００１４】
定着装置１００では、定着ベルト１２、加圧ローラ１３が回転駆動された状態で、定着ベルト１２の表面は所定の温度まで加熱されており、定着ニップ部Ｎに未定着トナーＴが形成されたシートＰが通され（図中、右側から左側方向への通紙）、定着ニップ部Ｎにおける加圧及び加熱により未定着トナーをシートＰ上に熱融着させて定着を行なう。
【００１５】
ついで、トナー定着されたシートＰは定着ニップ部Ｎから排出されるが、このときシートＰが定着ベルト１２あるいは加圧ローラ１３に巻き付いたまま出てくることがある。その対策として、定着ベルト１２にオイルを塗布して離型性を改善するオイル塗布装置２１と、加圧ローラ１３にオイルを塗布して離型性を改善するオイル塗布装置２２を備える。なお、ここで使用されるオイルは、耐熱性かつ不揮発性のオイルが好ましく、例えばシリコーンオイルが挙げられる。また、分離爪１６ａ，１６ｂの先端がシートＰの先頭端部に当接することにより、該シートＰを定着ベルト１２あるいは加圧ローラ１３から分離させるようになっている。定着ニップ部Ｎから排出されたシートＰは、所定の排出経路を通過して定着装置１００から送り出される。
【００１６】
図３に、本発明に係る定着装置の要部断面図を示す。すなわち、本発明に係る定着装置１００は、回動可能に設けられる定着部材（定着ベルト１２）と、前記定着部材に当接し定着ニップ部（定着ニップ部Ｎ）を形成する加圧部材（加圧ローラ１３）と、前記定着部材または加圧部材の所定幅にオイルを塗布するオイル塗布部（塗布ローラ２３）と該オイル塗布部にオイルを供給するオイル供給部（オイル投入口２１ａ，オイル溜り部２１ｂ，支持板２１ｃ，供給フェルト２１ｄ，供給ローラ２１ｅ，メータリングブレード２１ｆ）とを有するオイル塗布装置（オイル供給装置２１）と、を備え、前記オイル供給部は、オイル投入口から投入されるオイルを溜めておく樋形状のくぼみであって長手方向が前記オイル塗布部の幅方向に対して平行に配置されるオイル溜り部（オイル溜り部２１ｂ）を隣接するオイル供給部材（供給フェルト２１ｄ）の上方に有し、前記オイル溜り部にオイルが投入されることにより該オイル溜り部上部からオイルが溢れ出て前記隣接するオイル供給部材に供給されるように構成したものである。なお、図３では、定着ベルト１２へのオイル塗布装置２１を例に示したが、本構成は加圧ローラ１３へのオイル塗布装置２２への適用も可能である。
【００１７】
図４に、オイル供給部の要部であるオイル溜り部２１ｂ，支持板２１ｃ，供給フェルト２１ｄの構成を斜視図で示す。
オイル溜り部２１ｂは、断面がＶ字型の樋部２１ｂ２と、樋部２１ｂ２の長手方向の両端で樋の溝をせき止める態様で設けられる側板２１ｂ３と、からなる樋形状のくぼみである。このとき、支持板２１ｃで供給ローラ２１ｅの上方であって、樋部２１ｂ２の長手方向が供給ローラ２１ｅの幅方向（すなわち塗布ローラ２３の幅方向かつ定着ベルト１２の幅方向）と平行になるように支持されている。なお、図４では、オイル溜り部２１ｂは、支持板２１ｃの端部折り返し部分と該折り返し部分に端部が固定された帯板により樋部２１ｂ２が形成され、さらに樋部２１ｂ２の長手両端に側板２１ｂ３が固定された構成を示したが、これに限定されず、樋部２１ｂ２が板金可能で成形されさらに側板２１ｂ３を取り付けたもの、あるいは樋部２１ｂ２，側板２１ｂ３が一体に成形されたものでも良い。また、オイル溜り部２１ｂには使用オイルに反応せず、耐熱性がある金属材料またはプラスチックなどを用いるとよい。
【００１８】
また、オイル溜り部２１ｂ上部の開口端部のうち隣接するオイル供給部材（供給フェルト２１ｄ）に面する端部がそれ以外の端部（樋部２１ｂ２の他方の端部、側板２１ｂ３の端部）よりも高さ位置が低い口切部（口切部２１ｂ１）となっている。定着装置１００の駆動時には、オイル溜り部２１ｂの幅方向中央にオイル投入口２１ａからオイルがオイル溜り部２１ｂから溢れ出るまで投入される（図中矢印位置から投入される）が、該口切部２１ｂ１からオイルが優先的に溢れ出るようになり隣接するオイル供給部材（供給フェルト２１ｄ），供給ローラ２１ｅを経由してオイル塗布部（塗布ローラ２３）に供給される。このとき、口切部２１ｂの全幅からオイルが溢れ出るので、供給フェルト２１ｄを経由して供給ローラ２１ｅ及び塗布ローラ２３の所定幅（例えば全幅）にオイルが供給され、ついで定着ベルト１２の所定幅（例えば全幅）にオイルが塗布されるようになる。
【００１９】
支持板２１ｃは、断面がＵ字型の樋形状であってオイル溜り部２１ｂ及び供給フェルト２１ｄを支持するものである。このとき、金属材料を板金加工したものとするなど適度にばね特性を付与しておけば、供給フェルト２１ｄを供給ローラ２１ｅに一定の押圧力で当接することができる。
【００２０】
供給フェルト２１ｄは、オイル溜り部２１ｂに隣接して配置され、オイル溜り部２１ｂ上部からオイル塗布部（塗布ロール２３）側にオイルを供給するものである。詳しくは、供給フェルト２１ｄは、オイル溜り部２１ｂと供給ローラ２１ｅの間であって、オイル溜り部２１ｂの口切部２１ｂ１の端部と同じ高さまたは該端部よりも上にせり出した状態でオイル溜り部２１ｂに接して配置されている。また、供給フェルト２１ｄは、例えば耐熱性のオイルとは反応しない繊維（例えば、メタ系アラミド繊維など）からなる圧縮シートであり、内部でオイルを保持しつつ繊維間を通過させてオイルを透過するものである。そのため、供給フェルト２１ｄの繊維の目付け（メッシュ）は、不純物を濾過する目的のものよりも粗くてもよい。これにより、供給フェルト２１ｄは、口切部２１ｂ１から溢れ出たオイルを受け、供給フェルト２１ｄに沿ってオイルを流すことが可能である。ここでは、オイル溜り部２１ｂ上部から供給ローラ２１ｅへと重力の作用（自由落下）によりオイルが流され、供給フェルト２１ｄは供給ローラ２１ｅとの接触部で該供給ローラ２１ｅにオイルを供給する。
【００２１】
なお、オイル供給部は、これら以外に供給フェルト２１ｄからオイルを受ける供給ローラ２１ｅ，供給ローラ２１ｅのオイル付着量（保持量）を調整するメータリングブレード２１ｆを有する。このうち、供給ローラ２１ｅは、表面が使用するオイルに対応した材料からなり、例えばシリコンゴムで形成されている。また、メータリングブレード２１ｆは、供給ローラ２１ｅにおけるオイル付着量を規制しつつ供給ローラ２１ｅ表面を傷つけないような材料からなるブレードであって、例えばフッ素ゴムで形成することが好ましい。
【００２２】
以上の構成により、オイル供給部からオイル塗布部へのオイル供給に際してはつぎのように行われる。
（Ｓ１１）  まず定着装置１００の駆動が開始されると、定着ベルト１２の回動とともに、供給ローラ２１ｅの回転駆動が始まり、定着ベルト１２，供給ローラ２１ｅに接する塗布ローラ２３の回転も開始する。
（Ｓ１２）  これと同時に、オイル投入口２１ａからオイルがオイル溜り部２１ｂに投入が開始され、オイル溜り部２１ｂにオイルが溜められる。
（Ｓ１３）  オイルの投入は継続して行われ、オイル溜り部２１ｂからオイルが溢れ出る。このとき、口切部２１ｂ１の全幅からオイルが溢れ出て、供給フェルト２１ｄ（全幅）にオイルが供給される。
（Ｓ１４）  供給フェルト２１ｄでは内部をオイル溜り部２１ｂ上部側（上方）から下方に向けてオイルが透過していき、供給ローラ２１ｅの接触部で該供給ローラ２１ｅの所定幅にオイルを供給する。
（Ｓ１５）  供給ローラ２１ｅのオイルが供給された部分は該供給ローラ２１ｅの回転により移動し、ついでメータリングブレード２１ｆの当接により供給ローラ２１ｅにおけるオイル付着量が調整される。
（Ｓ１６）  供給ローラ２１ｅのオイルが塗布ローラ２３との当接部分で該塗布ローラ２３の所定幅に供給される。最後に塗布ローラ２３に付着したオイルが定着ベルト１２の所定幅に塗布される。
【００２３】
以上のように、本発明では、オイル溜り部２１ｂから供給ローラ２１ｅへは重力の作用を利用して上方から下方でオイルを流れ落とす態様としていることから、十分な量のオイルをオイル溜り部２１ｂから供給ローラ２１ｅに安定して供給することが可能である。
【００２４】
ここで、通常の定着装置では、供給ローラ２１ｅの駆動は、定着装置のほかの部材の駆動のために入力される駆動力、具体的には定着ローラ１１あるいは加熱ローラ１４の駆動力をギヤ等により伝達して行われていた。このとき、供給ローラ２１ｅには固定された回転比により駆動伝達されるため、供給ローラ２１ｅは定着ローラ１１あるいは加熱ローラ１４の回転数に比例した回転数で駆動される。また、塗布ローラ２３は供給ローラ２１ｅの回転につれ回りしている。そのため、供給ローラ２１ｅから塗布ローラ２３を経由して定着ベルト１２に塗布されるオイルの付着量は、定着ローラ１１あるいは加熱ローラ１４の回転数に比例したものとなる。
【００２５】
ところで、シートＰとしてコート紙等のオイルの吸収がしやすい種類のものを使用する場合、定着処理後の良好な用紙分離性（離型性）や定着処理における画像の良好な仕上がり（画像品質）を確保するために、普通紙を使用するような通常の場合よりも定着ベルト１２、加圧ローラ１３にオイルを多く塗布する必要がある。
【００２６】
この要求に対して、図３，図４の構成により、オイル溜り部２１ｂから供給ローラ２１ｅへは十分な量のオイルを安定して供給することが可能であるが、前述したような通常の定着装置では定着ローラ１１あるいは加熱ローラ１４に対して供給ローラ２１ｅの回転比が固定されているため、オイル塗布量を増加させる対応ができなかった。このことは、とくにコート紙上にカラー画像を形成するような高品質の画像形成を、例えば毎分９０枚の処理速度で行う場合にオイル不足が発生し問題となる。
そこで、発明者らは、この問題を解決すべく、供給ローラ２１ｅの前記駆動がネックになっていることに着目して鋭意検討を行い、本発明を成すに至った。以下、本発明に係る定着装置の根幹部分を説明する。
【００２７】
本発明に係る定着装置１００は、図２〜図４に示す構成を前提として、他の駆動系から独立した駆動モータから直接または間接的に供給される駆動力により任意の回転数で回転し定着部材（定着ベルト１２）または加圧部材（加圧ローラ１３）にオイルを塗布する塗布ローラ（塗布ローラ２３）と該塗布ローラにオイルを供給するオイル供給部とを有するオイル塗布装置（オイル塗布装置２１）を備えるものである。
【００２８】
図５に、本発明に係る定着装置の駆動系に関する構成を示す。
定着装置１００は、図２，図３に示すものと同様に、定着ローラ１１及び加熱ローラ１４に一定のテンションで架け渡された定着部材（定着ベルト１２）と、該定着部材（定着ベルト１２）に対して回転自在に圧接し定着ニップ部Ｎを形成する加圧部材（加圧ローラ１３）と、前記定着部材または加圧部材の所定幅にオイルを塗布するオイル塗布部（塗布ローラ２３）と該オイル塗布部にオイルを供給するオイル供給部（ここでは供給ローラ２１ｅのみ示し、そのほかは省略）とを有するオイル塗布装置（オイル供給装置２１）と、を備える。また、定着ベルト１２を駆動する駆動モータ２８ａ、他の駆動系とは独立して供給ローラ２１ｅを駆動する駆動モータ２８ｂ、駆動モータ２８ａ，２８ｂそれぞれの駆動を制御する制御部２５、使用者がシートＰの種類を選択することによって定着対象となるシートＰの種類についての情報を制御部２５に入力するシート種類選択部２７を備えている。
【００２９】
ここで、定着装置１００は、制御部２５の駆動モータ制御により、定着対象のシートＰの種類に応じて塗布ローラ２３の回転数を変化させ、定着ベルト１２または加圧ローラ１３へのオイル塗布量を調整するものである。具体的には、以下の手順にて制御される。
【００３０】
（Ｓ２１）  まず、使用者によって定着装置１００の実行が促されると、定着装置１００は駆動を開始する。その際、前記ステップＳ１１〜Ｓ１６の処理が行われるが、制御部２５が駆動モータ２８ａ，２８ｂやその他の駆動系を例えば予め設定されている標準条件で駆動させる。
（Ｓ２２）  つぎに、使用者がシート種類選択部２７によって選択したシートＰの種類についての情報が、例えばシートＰが普通紙、コート紙、フィルムのいずれであるかの情報、が制御部へ送られ確認される。
（Ｓ２３）  制御部２５では、前記シート種類の情報、その他シート厚、トナー種類、カラー／モノクロモードなどの情報に基づいて、予め設定されている定着条件の中から適切な定着条件が選択され、該定着条件に基づいて定着装置１００の駆動が制御される。
（Ｓ２４）  ここで、シートＰがコート紙の場合、制御部２５は駆動モータ２８ｂの回転数を普通紙の場合の回転数よりも増加するように制御する。これにより、塗布ローラ２３の回転数も増加し、定着ベルト１２へのオイル付着量が増加する。
（Ｓ２５）  その他の定着条件を満足する状態になると、画像出力が開始される。このとき、定着ベルト１２、加圧ローラ１３には十分な量のオイルが安定的に塗布されているため、定着ニップ部Ｎを通過して定着処理されたコート紙（シートＰ）は定着ベルト１２、加圧ローラ１３に巻き付くことなく排出される。
【００３１】
ところで、定着装置１００で使用するオイルにはある程度の粘性があり、オイル供給部ではオイル投入口２１ａからオイルがオイル溜り部２１ｂに投入されても、直ちにオイル溜り部２１ｂの幅方向にオイルが拡がるわけではない。すなわち、オイル溜り部２１ｂの幅方向のうち、オイル投入口２１ａの位置でオイルがもっとも溜まって盛り上がっていて、そこから端に行くほどオイル高さが低くなる傾向がある。このため、口切部２１ｃを超えて供給ローラ２１ｅに流れ込むオイルの幅方向の量の分布が不均一となりやすい。
【００３２】
そこで、この対策として、例えばオイル溜り部２１ｂにおけるオイル投入口２１ａ以外の幅方向の領域に該オイル溜り部２１ｂのくぼみ内部から供給フェルト２１ｄにつながるくみ出しフェルトを設けて、オイル投入口２１ａ以外の幅方向の領域からオイルが供給されやすいようにするとよい。この場合、くみ出しフェルトから供給フェルト２１ｄへはオイルの毛細管現象によりオイル供給を行うが、オイル供給の幅方向の分布を整えるために補助的に利用するものであり、かつくみ出しフェルトから供給フェルト２１ｄへの距離も短いため、実用上問題とならない。
【００３３】
あるいは、オイル溜り部２１ｂへのオイル投入口２１ａを該オイル溜り部２１ｂの幅方向に複数備え、これによりオイル溜り部２１ｂの幅方向におけるオイル高さを均一にするとよい。
【００３４】
また、口切部２１ｂ１について、オイル溜り部２１ｂへのオイル投入口２１ａに対応する位置の端部高さをそれ以外の位置の端部高さよりも高くして、これにより口切部２１ｂから溢れ出るオイルの幅方向の量を調整してもよい。
【００３５】
なお、ここまでは、図３に示すような構成のオイル塗布装置について説明したが、この構成に限定されるものではなく、以下に示す構成例でも同様の作用効果が得られる。
図６に、本発明の一態様であるオイル塗布装置のその他の構成例を示す。
ここでは、図３に示した構成のうち、供給フェルト２１ｄを省略して、オイル溜り部２１ｂと供給ローラ２１ｅが隣接し、それ以外は同じ構成としたものである。すなわち、本発明に係る定着装置１００は、回動可能に設けられる定着部材（定着ベルト１２）と、前記定着部材に当接し定着ニップ部（定着ニップ部Ｎ）を形成する加圧部材（加圧ローラ１３）と、前記定着部材または加圧部材の所定幅にオイルを塗布するオイル塗布部（塗布ローラ２３）と該オイル塗布部にオイルを供給するオイル供給部（オイル投入口２１ａ，オイル溜り部２１ｂ，支持板２１ｃ，供給ローラ２１ｅ，メータリングブレード２１ｆ）とを有するオイル塗布装置（オイル供給装置２１Ａ）と、を備え、前記オイル供給部は、オイル投入口から投入されるオイルを溜めておく樋形状のくぼみであって長手方向が前記オイル塗布部の幅方向に対して平行に配置されるオイル溜り部（オイル溜り部２１ｂ）を隣接するオイル供給部材（供給ローラ２１ｅ）の上方に有し、前記オイル溜り部にオイルが投入されることにより該オイル溜り部上部からオイルが溢れ出て前記隣接するオイル供給部材に供給されるように構成したものである。
【００３６】
なお、ここでは定着装置の上側に定着部材（定着ベルト１２）、下側に加圧部材（加圧ローラ１３）を配置した構成例を示したが、これに限定されるものではなく、上側にローラタイプの定着部材を配置し、その下にベルトタイプの加圧部材を配置した構成としてもよい。図７に、その構成例を示す。ここでは、上側に回転自在に配置された定着ローラ１２ａと、ローラ１２ａの下にローラＲ１１，Ｒ１４，Ｒ１５に回動自在に架け渡された加圧ベルト１３ａと、が当接して加圧ベルト１３ａの裏面にある加圧パッドであるバックアップ部材１３ｂにより定着ニップ部Ｎを形成可能に配置されている。この場合は、オイル塗布装置２１により上側の定着部材（定着ローラ１２ａ）にオイルが塗布され、オイル塗布装置２２により下側の加圧部材（加圧ベルト１３ａ）にオイルが塗布されるようになる。
【００３７】
次に、本発明に係る画像形成装置について説明する。
図８に、本発明に係る画像形成装置であるタンデム型のカラー複写機の構成を示す。
カラー複写機２００は、装置本体中央部に位置する画像形成部２００Ａと、該画像形成部２００Ａの下方に位置する給紙部２００Ｂと、画像形成部２００Ａの上方に位置する図示しない画像読取部を有する高速機であり、画像形成部２００Ａに本発明の定着装置１００を組み込んでいる。
【００３８】
画像形成部２００Ａには、水平方向に延びる転写面を有する転写ベルト２１０が配置されており、該転写ベルト２１０の上面には、色分解色と補色関係にある色の画像を形成するための構成が設けられている。すなわち、補色関係にある色のトナー（イエロー、マゼンタ、シアン、ブラック）による像を担持可能な像担持体としての感光体２０５Ｙ、２０５Ｍ、２０５Ｃ、２０５Ｋが転写ベルト２１０の転写面に沿って並置されている。
【００３９】
各感光体２０５Ｙ、２０５Ｍ、２０５Ｃ、２０５Ｋはそれぞれ同じ方向（反時計回り方向）に回転可能なドラムで構成されており、その周りには、回転過程において画像形成処理を実行する光書き込み装置２０１、帯電装置２０２Ｙ，２０２Ｍ，２０２Ｃ，２０２Ｋ、現像装置２０３Ｙ，２０３Ｍ，２０３Ｃ，２０３Ｋ、１次転写装置２０４Ｙ，２０４Ｍ，２０４Ｃ，２０４Ｋ及びクリーニング装置が配置されている。また、各現像装置２０３Ｙ，２０３Ｍ，２０３Ｃ，２０３Ｋには、それぞれのカラートナーが収容されている。
【００４０】
転写ベルト２１０は、駆動ローラと従動ローラに掛け回されて感光体２０５Ｙ、２０５Ｍ、２０５Ｃ、２０５Ｋとの対峙位置において同方向に移動可能な構成を有している。また、従動ローラの１つであるローラ２１１に対向する位置に転写ローラ２１２が設けられている。また、転写ローラ２１２から定着装置１００までのシートＰの搬送経路は横パスとなっている。
【００４１】
なお、定着装置１００に付帯して、定着装置１００で使用されたシートＰの離型性改善のためのオイルを回収するオイルタンク２５１、オイルタンク２５１内のオイルを再度定着装置１００（例えば、オイル投入口２１ａ）に供給するオイルポンプ２５２などのオイル循環機構を備えている。
【００４２】
給紙部２００Ｂは、記録媒体としてのシートＰを積載収容する給紙トレイ２２０と、該給紙トレイ２２０内のシートＰを最上のものから順に１枚ずつ分離して、転写ローラ２１２の位置まで搬送する搬送機構を有している。
【００４３】
本発明の画像形成装置２００における画像形成に当たっては、感光体２０５Ｙの表面が帯電装置２０２Ｙにより一様に帯電され、画像読取部からの画像情報に基づいて感光体２０５Ｙ上に静電潜像が形成される。該静電潜像はイエローのトナーを収容した現像装置２０３Ｙによりトナー像として可視像化され、該トナー像は所定のバイアスが印加される１次転写装置２０４Ｙにより転写ベルト２１０上に１次転写される。他の感光体２０５Ｍ、２０５Ｃ、２０５Ｋでもトナーの色が異なるだけで同様の画像形成がなされ、それぞれの色のトナー像が転写ベルト２１０上に静電気力で順に転写されて重ね合わせられる。
【００４４】
つぎに、感光体２０５Ｙ、２０５Ｍ、２０５Ｃ、２０５Ｋから転写ベルト２１０上に１次転写されたトナー像Ｔは、ローラ２１１、転写ローラ２１２により搬送されてきたシートＰに転写される。トナー像Ｔが転写されたシートＰは、さらに定着装置１００まで搬送され、定着ベルト１２と加圧ローラ１３との定着ニップ部Ｎにて定着が行なわれる。定着ベルト１２，加圧ローラ１３にはオイル塗布装置２１，２２によりそれぞれ適当量のオイルが塗布されており、また必要に応じて定着ニップ部Ｎの出側に配置された分離爪１６ａ，１６ｂが機能することから、シートＰは定着ベルト１２，加圧ローラ１３に巻き付くことなく定着ニップ部Ｎの出側に排出される。
ついで、定着ニップ部Ｎから排出されたシートＰは排出経路に沿ってスタッカ２１５へ送り出される。
【００４５】
以上のように、本発明に係る定着装置１００を有する画像形成装置により、より高度な定着分離機能が得られ、コート紙を含むさまざまな紙種(薄紙から厚紙まで)・画像(画像先端余白をより少なくすることが可能)への対応が可能となる。
【００４６】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図面の簡単な説明】
【００４７】
【図１】従来の定着装置の構成を示す断面図である。
【図２】本発明に係る定着装置の構成を示す断面図である。
【図３】本発明に係る定着装置におけるオイル塗布装置の構成を示す断面図である。
【図４】本発明で用いるオイル塗布装置の要部構成を示す斜視図である。
【図５】本発明に係る定着装置の駆動系に関する構成を示す概略図である。
【図６】本発明で用いるオイル塗布装置のその他の構成例を示す断面図である。
【図７】本発明に係る定着装置における加圧部材、定着部材の別の構成例を示す断面図である。
【図８】本発明に係る画像形成装置の構成を示す断面図である。
【符号の説明】
【００４８】
１１，１２ａ，８４    定着ローラ
１２，９２    定着ベルト
１３，８５    加圧ローラ
１３ａ    加圧ベルト
１３ｂ    バックアップ部材
１３ｈ，１４ｈ，８６，８７    ヒータ
１４，８３    加熱ローラ
１４ａ    ヒートパイプ
１５    テンションローラ
１６ａ，１６ｂ    分離爪
１７    クリーニング機構
２１，２２    オイル塗布装置
２１ａ    オイル投入口
２１ｂ    オイル溜り部
２１ｂ１    口切部
２１ｂ２    樋部
２１ｂ３    側板
２１ｃ    支持板
２１ｄ    供給フェルト
２１ｅ    供給ローラ
２１ｆ    メータリングブレード
２３，Ｒ１    塗布ローラ
２５    制御部
２７    シート種類選択部
２８ａ，２８ｂ    駆動モータ
９６    オイルパン
１００    定着装置
１００ｃ    定着カバー
２００    画像形成装置
２００Ａ    画像形成部
２００Ｂ    給紙部
２０１    光書込み装置
２０２Ｙ，２０２Ｃ，２０２Ｍ，２０２Ｋ    帯電装置
２０３Ｙ，２０３Ｍ，２０３Ｃ，２０３Ｋ    現像装置
２０４Ｙ，２０４Ｍ，２０４Ｃ，２０４Ｋ    １次転写装置
２０５Ｙ，２０５Ｃ，２０５Ｍ，２０５Ｋ    感光体
２１０    転写ベルト
２１１    従動ローラ
２１２    転写ローラ
２１５    スタッカ
２２０    給紙トレイ
２５１    オイルタンク
２５２    オイルポンプ
Ｏ    オイル
Ｐ    シート（記録媒体）
Ｒ１１，Ｒ１４，Ｒ１５    ローラ
Ｔ    トナー
【図１】
0005315777.tif 000002
【図２】
0005315777.tif 000003
【図３】
0005315777.tif 000004
【図４】
0005315777.tif 000005
【図５】
0005315777.tif 000006
【図６】
0005315777.tif 000007
【図７】
0005315777.tif 000008
【図８】
0005315777.tif 000009